(57)【要約】【課題】携帯電話機をマナーモードにし、通常待機モードに復帰することを忘れることにより重要な着信通知を受け損なう情報の損失を未然に防ぐ高齢者に優しい携帯電話機を提供する。【解決手段】携帯電話機１を通常待機モードからマナーモードへの設定時に、マナーモード設定キー６を押下または長押しすることによりメインディスプレイ２に表示されるウィンドー３画面に、マナーモードの設定を解除する迄の所望の時間を数字キー５から入力し、確定キー４を押下することでマナーモードへの設定が行われ、所望の時間後に通常待機モードに復帰するようにする。メモリーへの時間記憶を、現在の時刻に通常待機モードに復帰する迄の入力された時間をプラスした時刻として、携帯電話機１に内設される時計タイマーと連動するようにする。【選択図】図１
2015204591.tif 000002
【特許請求の範囲】
【請求項１】
マナーモード機能を有する携帯情報端末において、通常待機モードからマナーモードへの設定時に、マナーモード設定キーを押下または長押しすることによりメインディスプレイに表示されるウィンドー画面に所望の数字を入力し、確定キーを押下することでマナーモードへの設定が行われ、所望の時間後に待機モードに復帰するようにしたことを特徴とする携帯情報端末におけるマナーモードの設定と待機モードへの復帰の方法。
【請求項２】
メモリーへの時間記憶を、現在の時刻に通常待機モードに復帰する迄の入力された時間をプラスした時刻として、携帯情報端末に内設される時計タイマーと連動するようにしたことを特徴とする請求項１に記載の携帯情報端末におけるマナーモードの設定と待機モードへの復帰の方法。
【発明の詳細な説明】
【技術分野】
【０００１】
本発明は、携帯情報端末でのマナーモードへの設定とその解除の方法に関する。
【背景技術】
【０００２】
携帯情報端末の携帯電話機やスマートフォン（高機能携帯電話）は、通話が必要な時にリアルタイムに双方向のコミュニケーッションが行えることから多用されているが、特に通話は比較的緊急性があるために使用される場合が多く、そのタイミングを逃すとその価値が半減してしまうことすらある。
しかし、その使用のルールを誤ると不特定多数の人に迷惑をかけることに成りかねず顰蹙をかうことになる。
【０００３】
一般的に映画鑑賞や観劇、音楽会等の公共施設内では場内でのアナウンスも有り開演前に携帯情報端末（以下、携帯電話機と記す）の電源を切るか、通常待機モードからマナー待機モード（以下、マナーモードと記す）に設定することがマナーとして定着しだしている。
電源を切るとその復帰に時間が掛るのと、着信履歴も得られなくなることから多くの場合マナーモードに設定するが、マナーモードに設定した時点では着信に対応できるように身体に密着した状態で携帯しているが、一旦このマナーモード環境から離れると自身の携帯電話をマナーモードに設定したことを忘れることが高齢者に限らず散見される。
携帯電話機をマナーモードから通常待機モードに戻すことを忘れ、携帯電話機を身体に接する状態に携帯していなかったことで、重要な着信通知を受け損なうことに成りかねなかった。
【０００４】
この対策として、緊急時の着信や重要人物からの着信があったときにマナーモードが解除される携帯電話機、携帯電話機に用いられるマナーモード解除方法及びマナーモード解除制御プログラムの技術が知られている（特許文献１参照）。
また、携帯電話機のマナーモードの設定解除操作を不要とし、自動的に通常の待ち受け状態へ復帰する携帯電話機における電源オン／通常待ち受け状態への復帰タイマーの技術が知られている（特許文献２参照）。
さらに、携帯電話がマナーモードに設定や電源オフが行われ、所定時間経過後、マナーモード設定状態や電源オフ状態が未解除の場合に、使用者に告知する一方、自動解除し、携帯電話の使い勝手の向上を図る携帯電話の操作制御装置の技術が知られている（特許文献３参照）。  
【先行技術文献】
【特許文献】
【０００５】
【特許文献１】特開２００４−２８２６５１号公報
【特許文献２】特開２００７−１５１０５３号公報
【特許文献３】特開２０１２−２３５８５号公報
【発明の概要】
【発明が解決しようとする課題】
【０００６】
これは次のような問題点があった。
特許文献１の技術は、携帯電話機の発信側と着信側とにマナーモード解除制御プログラムがインストールされていないと有効にならず、使用できないという汎用性に問題があった。
特許文献２と３は同じような技術で、予め設定されたマナーモードを解除する設定パターンを選択することによりマナーモードの解除を実行するもので、特許文献３はこれに加えマナーモードの自動解除が行われたことを携帯電話機の使用者に告知する機能を設けたものであるが、告知は逆に混乱の元になるのと、マナーモードを解除する設定パターンに拘束され任意の自動解除設定ができ難いという問題があった。
【０００７】
ビジネスマンにとっては会議などで分刻みのマナーモードへの設定やその解除が必要となるが、一般的な携帯電話機の使用者にとって分刻みのマナーモードへの設定やその解除は殆ど必要無く、時間単位の時間設定でマナーモードを解除して通常待機モードに復帰する程度で十分であり、多くの場合生活に支障が生じるようなことも無い。
【０００８】
簡単な操作でマナーモードへの設定と解除ができ、携帯電話機を生活の中で使用している高齢者に優しいマナーモードを解除して通常待機モードに復帰する方法が求められていた。
本発明は、これらの上記課題を解決するためになされたものである。
【課題を解決するための手段】
【０００９】
通常待機モードからマナーモードへの設定時に、マナーモード設定キー６を押下または長押しすることによりメインディスプレイ２に表示されるウィンドー３画面に、マナーモードの設定を解除までの時間を所望の数字として入力し、確定キー４を押下することでマナーモードへの設定が行われ、所望の時間後に通常待機モードに復帰するようにする。
メモリーへの時間記憶を、現在の時刻に通常待機モードに復帰する迄の入力された時間をプラスした時刻として、携帯電話機１に内設する時計タイマーと連動するようにする。
本発明は、以上の構成よりなる携帯情報端末でのマナーモードの設定と通常待機モードへの復帰の方法である。
【発明の効果】
【００１０】
マナーモード設定キーを押下することで表示されるウィンドー画面に、今から通常待機モードに復帰する迄の時間を数字キーボタンで入力し、確定キーを押下することでマナーモードへの設定が行われるという簡単な操作で、入力された数字に応じた所望の時間後に通常待機モードに復帰するため、マナーモードに設定したことを忘れたことで重要な着信通知を受け損なうことを未然に防げるようになり高齢者に優しい技術である。
【図面の簡単な説明】
【００１１】
【図１】本発明を説明する携帯電話機の平面図である。
【図２】本発明の実施例を説明するフロー図である。
【発明を実施するための形態】
【００１２】
本発明の実施の形態について図１の携帯電話機を開いた状態を示す平面図で説明する。
通常待機モードからマナーモードに設定するには、マナーモードへの設定およびその解除に割り当てられたマナーモード設定キー６を押下または長押しすることで、携帯電話機１のメインディスプレイ２上の一画の見やすい個所に小ウィンドー３が表示される。
表示されたウィンドー３に、マナーモード設定後に通常待機モードに復帰する迄の時間を点線枠で示す数字キー５から入力し、入力された数字（時間）を確認して確定キー４を押下する。
【００１３】
確定キー４を押下したことにより、マナーモードへの設定が行われ、マナーモードから通常待機モードに復帰する迄の時間がメモリーに記憶され、表示されていたウィンドー３が閉じる。
メモリーに記憶された復帰迄の時間に対し、タイマーの始動により設定された時間後にマナーモードから通常待機モードに復帰される。
【００１４】
メモリーへの時間記憶は、携帯電話機１の現在の時刻に対して通常待機モードに復帰する迄の入力された時間をプラスした時刻として、携帯電話機１に内設される時計タイマーと連動するようにしてもよい。
具体的には、携帯電話機１の現在の時刻が１０時１５分である時、２時間後にマナーモードから通常待機モードに復帰されるように設定すると、１２時１５分がメモリーへの時刻記憶となる。
【００１５】
前述したように一般的な携帯電話機１の使用者にとって分刻みのマナーモードへの設定やその解除設定をする必要性は少なく、時間単位の時間設定でマナーモードを解除して通常待機モードに復帰することで十分である。
一例として、開始から２時間３０分で終了する映画を観賞する時、この時間を切り上げて３時間としてマナーモードからの解除を設定すれば、映画の鑑賞時間をカバーするため周囲に影響を与えることも無い。
本発明は上述のように、マナーモードから通常待機モードに復帰する迄の時間を常に切り上げて時間単位の時間設定とすることで、マナーモードからの解除を意識することも無く煩わしい操作からも解放されるようになる。
【００１６】
本発明は、マナーモードの設定時に通常待機モードに復帰する迄の時間を入力することで、自動でマナーモードの設定を解除して通常待機モードに復帰するが、マナーモードへの設定のみを行うことも可能としている。
最初のマナーモード設定キー６の押下で表示されるウィンドー３に、数字キー５から「０」を入力し確定キー４を押下するか、何も入力せずに確定キー４を押下することでマナーモードへの設定が行われ、通常待機モードに復帰する迄の時間が入力されていないため、メモリーへの時間記憶は行われずマナーモードの設定のみとすることができる。
なお、メインディスプレイ２上の一画にウィンドー３を表示して数字を入力するが、ウィンドー３に入力表示できるのは一桁でも最大９時間の通常待機モードに復帰する迄の時間が入力できるため、使用上殆ど問題無い。
【実施例】
【００１７】
本発明の実施例を図２のフロー図で説明する。
ステップ１  マナーモードに設定しようと意図する最初の操作で、携帯電話機１のマナーモード設定キー６を押下または長押しする。
この操作によりメインディスプレイ２上の一画に小ウィンドー３が表示される。
ステップ２  数字キー５を使用して、表示されたウィンドー３に所望の時間（今から通常待機モードに復帰される迄の時間）の数字を入力する。
ステップ３  ウィンドー３に入力された数字を確認し、確定キー４を押下する。
なお、ウィンドー３に入力された数字を変更したい時は、携帯電話機１に既設される戻るキー７で入力された数字を削除して新たな数字を入力するか、直接新たな数字を入力して上書きする。
ステップ４  確定キー４の押下により、マナーモードへの設定が完了すると同時に、ステップ２で入力された数字に対応する時間または時刻がメモリーに記憶される。
メモリーに記憶された時間または時刻に対し時計タイマーの実行により、実線枠で示す自動解除によりステップ５のマナーモード解除が設定時間後に行われるが、マナーモードの実行中に、マナーモード設定キー６を押下または長押しすることで、点線枠で示す手動解除が実行できるようになる。
ステップ５  設定時間後にマナーモードの解除が実行され通常待機モードに復帰され、メモリーに記憶されている時間情報が消去され終了する。
【００１８】
本発明の実施の形態について、携帯情報端末の中の折りたたみ式の携帯電話機１について説明したが、スマートフォンでは一体化された本体のディスプレイ上に必要に応じ操作キーボタンやウィンドー等を表示可能なため、マナーモード設定機能を有するスマートフォンにおいても本発明を容易に実行することが可能である。
【符号の説明】
【００１９】
１  携帯電話機    
２  メインディスプレイ  
３  ウィンドー  
４  確定キー  
５  数字キー
６  マナーモード設定キー
７  戻るキー  
【図１】
2015204591.tif 000003
【図２】
2015204591.tif 000004